(57)【要約】【課題】副照明領域から放射される照明光の光量を精度よく制御する。【解決手段】バックライトには、照明光が散乱する散乱状態と照明光が散乱しない非散乱状態との切り替えが独立に制御される複数の副照明領域Ｉが設けられている。副照明領域Ｉには、液晶層に電圧を印加する複数の第一の電極３３が並べて配置されている。複数の第一の電極３３は、一本おきまたは複数本おきに配置された第一の電極３３どうしが短絡されることにより、複数のグループに分けられる。副照明領域Ｉは、複数のグループにそれぞれ対応して、散乱状態と非散乱状態との切り替えが独立に制御される複数の分割副照明領域ＤＩを有する。【選択図】図４
2017032782.tif 000002
【特許請求の範囲】
【請求項１】
高分子分散型液晶パネルと、
前記高分子分散型液晶パネルの端面に照明光を入射させる光源装置と、
前記高分子分散型液晶パネルの内部を伝播して前記高分子分散型液晶パネルで散乱された前記照明光を変調する表示パネルと、
を有し、
前記高分子分散型液晶パネルは、液晶層に電圧を印加することにより、前記照明光が散乱する散乱状態と前記照明光が散乱しない非散乱状態との切り替えが独立に制御される複数の副照明領域を有し、
前記副照明領域には、前記液晶層に電圧を印加する複数の第一の電極が並べて配置され、
前記複数の第一の電極は、一本おきまたは複数本おきに配置された前記第一の電極どうしが短絡されることにより、複数のグループに分けられ、
前記副照明領域は、前記複数のグループにそれぞれ対応して、散乱状態と非散乱状態との切り替えが独立に制御される複数の分割副照明領域を有する
表示装置。
【請求項２】
前記副照明領域ごとに前記複数の分割副照明領域の中から一つまたは複数の前記分割副照明領域を選択し、選択した前記分割副照明領域の数に応じて前記液晶層に電圧を印加する時間を異ならせるバックライト制御部を有する
請求項１に記載の表示装置。
【請求項３】
選択された前記分割副照明領域の数が少ないほど前記液晶層に電圧を印加する時間は長い
請求項２に記載の表示装置。
【請求項４】
前記バックライト制御部は、前記副照明領域から放射されるべき照明光の光量を設定するとともに、前記副照明領域内の全ての分割副照明領域を散乱状態として照明を行うときに前記光量を得るために必要となる液晶層の電圧印加時間を目標時間として演算し、この目標時間が、前記液晶層に電圧を印加してから前記液晶層の配向変化が完了するまでの時間以下である場合には、前記副照明領域内に設けられた前記分割副照明領域の数よりも少ない数の前記分割副照明領域が散乱状態となるように前記高分子分散型液晶パネルを制御する
請求項２または３に記載の表示装置。
【請求項５】
同一の前記分割副照明領域に含まれる複数の前記第一の電極の各々の幅は全て等しく、
互いに異なる前記分割副照明領域に含まれる前記第一の電極どうしの幅は互いに異なる
請求項２ないし４のいずれか１項に記載の表示装置。
【請求項６】
前記バックライト制御部は、前記副照明領域から放射されるべき照明光の光量が第一の閾値よりも小さい場合には、前記副照明領域に設けられた前記複数の分割副照明領域のうち、前記第一の電極の幅が最も小さい前記第一の電極が設けられた前記分割副照明領域のみが散乱状態となるように前記高分子分散型液晶パネルを制御する
請求項５に記載の表示装置。
【請求項７】
前記バックライト制御部は、前記副照明領域から放射されるべき照明光の光量が第二の閾値よりも大きい場合には、前記副照明領域に設けられた前記複数の分割副照明領域のうちの二以上の前記分割副照明領域が散乱状態となるように前記高分子分散型液晶パネルを制御する
請求項５または６に記載の表示装置。
【請求項８】
前記バックライト制御部は、前記副照明領域から放射されるべき照明光の光量が第三の閾値よりも大きい場合には、前記副照明領域に設けられた全ての前記分割副照明領域が散乱状態となるように前記高分子分散型液晶パネルを制御する
請求項５ないし７のいずれか１項に記載の表示装置。
【請求項９】
前記複数の副照明領域は、前記端面に近い側から遠い側に並べて配置され、
前記端面に最も近い前記副照明領域に設けられた複数の前記第一の電極の中で最も幅の小さい前記第一の電極の幅は、前記端面から最も遠い前記副照明領域に設けられた複数の前記第一の電極の中で最も幅の小さい前記第一の電極の幅よりも小さい
請求項１ないし４のいずれか１項に記載の表示装置。
【請求項１０】
前記端面に最も近い前記副照明領域に設けられた複数の前記第一の電極のトータルの幅は、前記端面から最も遠い前記副照明領域に設けられた複数の前記第一の電極のトータルの幅よりも小さい
請求項９に記載の表示装置。
【請求項１１】
同一の前記分割副照明領域に含まれる複数の前記第一の電極の各々の幅は全て等しく、
互いに異なる前記分割副照明領域に含まれる前記第一の電極どうしの幅は互いに異なる
請求項１に記載の表示装置。
【発明の詳細な説明】
【技術分野】
【０００１】
本発明は、表示装置に関する。
【背景技術】
【０００２】
高分子分散型液晶パネルをバックライトの導光板として用いた表示装置が知られている（特許文献１参照）。高分子分散型液晶パネルの端面には光源が配置される。光源から放射された照明光は、高分子分散型液晶パネルの内部を伝播して高分子分散型液晶パネルから放射される。高分子分散型液晶パネルは表示パネルと対向配置される。表示パネルは、高分子分散型液晶パネルから放射された照明光を変調して画像を表示する。
【先行技術文献】
【特許文献】
【０００３】
【特許文献１】特開２０１１−２２２１９９号公報
【発明の概要】
【発明が解決しようとする課題】
【０００４】
高分子分散型液晶パネルは、透明な電極を備えた二枚の基板と、二枚の基板の間に挟み込まれた液晶層と、を有する。液晶層の配向は、二枚の基板に設けられた一対の電極の間に電圧を印加することにより制御される。照明光は、液晶層および電極を透過しつつ高分子分散型液晶パネルの内部を伝播する。
【０００５】
高分子分散型液晶パネルは、照明光が散乱する散乱状態と照明光が散乱しない非散乱状態との切り替えが独立に制御される複数の副照明領域を有する。各副照明領域から放射される照明光の光量は、各副照明領域の液晶層に電圧を印加する時間によって制御される。この種のバックライトの駆動形態としては、全ての副照明領域を一括で点灯させるスタティック駆動と、複数の副照明領域を順次点灯させるスキャン駆動と、があるが、副照明領域から放射される照明光の光量を精度よく制御することは必ずしも容易ではない。
【０００６】
例えば、複数の副照明領域は、光源に近い側から遠い側に並べて配置される。スタティック駆動を行う場合には、全ての副照明領域が散乱状態となるため、光源に近い副照明領域で多くの照明光が散乱され、光源から遠い副照明領域に届く照明光の光量が少なくなる。そのため、光源に近い副照明領域では、液晶層に電圧を印加する時間が短く設定され、光源から遠い副照明領域では、液晶層に電圧を印加する時間が長く設定される。しかし、この方法では、液晶層に電圧を印加する時間の違いによって、複数の副照明領域の間で焼き付きむらが発生する可能性がある。よって、焼き付きむらを抑制するための駆動上の工夫が必要となる。
【０００７】
スキャン駆動を行う場合には、単位期間（例えば、１フレーム期間）を副照明領域の数で分割した分割期間ごとに、散乱状態となる副照明領域が切り替わる。副照明領域から放射される照明光の光量は、表示される画像の明るさに応じて設定される。よって、暗い画像が表示される場合には、液晶層に電圧を印加する時間は短くなる。しかし、もともと短い分割期間内でさらに電圧の印加時間を短くすると、液晶層の応答が間に合わなくなり、目的とする光量が得られなくなる可能性がある。
【０００８】
本発明の目的は、副照明領域から放射される照明光の光量を精度よく制御することが可能なバックライトを有する表示装置を提供することにある。
【課題を解決するための手段】
【０００９】
本発明の一態様に係る表示装置は、高分子分散型液晶パネルと、前記高分子分散型液晶パネルの端面に照明光を入射させる光源装置と、前記高分子分散型液晶パネルの内部を伝播して前記高分子分散型液晶パネルで散乱された前記照明光を変調する表示パネルと、を有し、前記高分子分散型液晶パネルは、液晶層に電圧を印加することにより、前記照明光が散乱する散乱状態と前記照明光が散乱しない非散乱状態との切り替えが独立に制御される複数の副照明領域を有し、前記副照明領域には、前記液晶層に電圧を印加する複数の第一の電極が並べて配置され、前記複数の第一の電極は、一本おきまたは複数本おきに配置された前記第一の電極どうしが短絡されることにより、複数のグループに分けられ、前記副照明領域は、前記複数のグループにそれぞれ対応して、散乱状態と非散乱状態との切り替えが独立に制御される複数の分割副照明領域を有する。
【図面の簡単な説明】
【００１０】
【図１】図１は、第一の実施形態に係る表示装置の概略構成を示す斜視図である。
【図２】図２は、表示装置の電気的構成を示すブロック図である。
【図３】図３は、表示装置の概略構成を示す断面図である。
【図４】図４は、副照明領域の構成を示す図である。
【図５】図５は、比較例のスタティック駆動を説明する図である。
【図６】図６は、比較例のスタティック駆動を説明する図である。
【図７】図７は、本実施形態のスタティック駆動を示す図である。
【図８】図８は、本実施形態のスタティック駆動を示す図である。
【図９】図９は、比較例のスキャン駆動を説明する図である。
【図１０】図１０は、比較例のスキャン駆動を説明する図である。
【図１１】図１１は、本実施形態のスキャン駆動を説明する図である。
【図１２】図１２は、本実施形態のスキャン駆動を説明する図である。
【図１３】図１３は、液晶層に電圧を印加する時間と液晶層で散乱されて高分子分散型液晶パネルの外部に放射される照明光の光量との関係を示す図である。
【図１４】図１４は、第二の実施形態に係る副照明領域の構成を説明する図である。
【図１５】図１５は、第三の実施形態に係る副照明領域の構成を説明する図である。
【図１６】図１６は、入光部からの距離と照明領域の輝度との関係を電極面積との関係でプロットした図である。
【発明を実施するための形態】
【００１１】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
［第一の実施形態］
図１は、第一の実施形態に係る表示装置１の概略構成を示す斜視図である。図２は、表示装置１の電気的構成を示すブロック図である。図３は、表示装置１の概略構成を示す断面図である。以下、ＸＹＺ座標系を用いて、各構成要素の形状や配置を説明する。
【００１３】
図１および図２に示すように、表示装置１は、表示パネル２と、バックライト３と、画像信号制御部４０と、階調制御部４１と、ゲート線駆動部４２と、データ線駆動部４３と、バックライト制御部４４と、光源駆動部４５と、副照明領域切り替え部４６と、を有する。
【００１４】
図１に示すように、表示パネル２は、第一の基板１０と、第二の基板１１と、第一の偏光板１２と、第二の偏光板１３と、を有する。第二の基板１１は、第一の基板１０と対向配置されている。第一の基板１０と第二の基板１１とが対向する対向領域の周縁部には、矩形枠状のシール材１９が設けられている。第一の基板１０と第二の基板１１とシール材１９とによって囲まれた空間には、液晶層２５（図２参照）が封入されている。シール材１９の内側には、表示領域２Ａが設けられている。第一の基板１０の外面側には、第一の偏光板１２が設けられている。第二の基板１１の外面側には、第二の偏光板１３が設けられている。
【００１５】
図２に示すように、表示領域２Ａには、Ｘ方向に延びる複数のゲート線２１とＹ方向に延びる複数のデータ線２２とがＺ方向から見て格子状に設けられている。ゲート線２１とデータ線２２との各交差部には薄膜トランジスタ２３が設けられている。薄膜トランジスタ２３のゲートとソースは、ゲート線２１とデータ線２２にそれぞれ電気的に接続されている。薄膜トランジスタ２３のドレインは、画素電極２４と電気的に接続されている。
【００１６】
表示領域２Ａには、各画素電極２４に共通の共通電極２６が設けられている。共通電極２６には、図示略の電源部によってコモン電位Ｖｃｏｍが供給される。液晶層２５は、画素電極２４と共通電極２６との間に発生する電界によって配向を制御される。一つの画素電極２４と共通電極２６とによって液晶層２５の配向が制御される領域が一つの副画素ＰＸである。Ｘ方向及びＹ方向にマトリクス状に配置された複数の副画素ＰＸによって表示領域２Ａが形成されている。
【００１７】
図３に示すように、表示パネル２の背面側（画像が観察される側とは反対側）には、バックライト３が設けられている。バックライト３は、高分子分散型液晶パネル４と、光源装置５と、を有する。高分子分散型液晶パネル４は、表示パネル２と対向配置されている。光源装置５は、Ｘ方向に延びる高分子分散型液晶パネル４の第一の端面３ａと対向配置されている。光源装置５と対向する第一の端面３ａが光入射面である。光源装置５は、高分子分散型液晶パネル４の第一の端面３ａに照明光Ｌ０を入射させる。
【００１８】
図１に示すように、光源装置５は、例えば、複数の光源５０を有する。複数の光源５０は、第一の端面３ａに沿って並べて配置されている。複数の光源５０は、例えば、白色の照明光Ｌ０を第一の端面３ａにそれぞれ入射させるＬＥＤ（Ｌｉｇｈｔ  Ｅｍｉｔｔｉｎｇ  Ｄｉｏｄｅ）である。光源５０は、ＬＥＤや有機ＥＬ（Ｅｌｅｃｔｒｏ  Ｌｕｍｉｎｅｓｃｅｎｃｅ）素子のような点状光源でもよく、冷陰極蛍光ランプ（Ｃｏｌｄ  Ｃａｔｈｏｄｅ  Ｆｌｕｏｒｅｓｃｅｎｔ  Ｌａｍｐ；ＣＣＦＬ）のような線状光源でもよい。
【００１９】
図３に示すように、高分子分散型液晶パネル４は、第三の基板３１と、第四の基板３２と、液晶層３５と、反射シート３６と、光学シート３７と、を有する。第三の基板３１と第四の基板３２とは対向配置されている。第三の基板３１と第四の基板３２とが対向する対向領域の周縁部には、矩形枠状のシール材３９（図１参照）が設けられている。第三の基板３１と第四の基板３２とシール材３９とによって囲まれた空間には、液晶層３５が封入されている。第三の基板３１の外面（液晶層３５とは反対側の面）には、空気層を介して反射シート３６が対向配置されている。第四の基板３２の外面（液晶層３５とは反対側の面）には、空気層を介して光学シート３７が対向配置されている。光学シート３７はプリズムシートや拡散シートを含み、それらを複数重ねて配置してもよい。
【００２０】
第三の基板３１の内面（液晶層３５側の面）には、それぞれＸ方向に延びる複数の第一の電極３３が設けられている。複数の第一の電極３３は、Ｙ方向に並べて配置されている。第四の基板３２の内面（液晶層３５側の面）には、複数の第一の電極３３とそれぞれ対向する複数の第二の電極３４が設けられている。複数の第二の電極３４は、Ｙ方向に並べて配置されている。第一の電極３３と第二の電極３４とは一対一に対応して設けられている。互いに対応する第一の電極３３と第二の電極３４とはＺ方向から見て重なって配置されている。複数の第二の電極３４は、互いに電気的に接続され、複数の第一の電極３３に対して共通の共通電極となっている。
【００２１】
液晶層３５は、例えば、網目状に形成された高分子のネットワークの隙間に液晶が分散されたリバースモードの液晶層である。液晶層３５の配向は、第一の電極３３と第二の電極３４との間に印加される電圧によって制御される。第一の電極３３と第二の電極３４との間に電圧を印加しない状態では、高分子と液晶の屈折率は互いに一致し、高分子と液晶との界面で照明光Ｌ０の散乱は生じない。第一の電極３３と第二の電極３４との間に電圧を印加した状態では、高分子と液晶の屈折率は互いに異なり、高分子と液晶との界面で照明光Ｌ０の散乱が生じる。
【００２２】
第三の基板３１の内面には、複数の第一の電極３３を覆って第一の配向膜３８ａが設けられている。第四の基板３２の内面には、複数の第二の電極３４を覆って第二の配向膜３８ｂが設けられている。液晶層３５は、第一の配向膜３８ａと第二の配向膜３８ｂとに接している。
【００２３】
図４は、高分子分散型液晶パネル４に設けられた一つの副照明領域Ｉｔの構成を示す図である。
【００２４】
図１ないし図３に示したように、高分子分散型液晶パネル４は、液晶層３５に電圧を印加することにより、照明光Ｌ０が散乱する散乱状態と照明光Ｌ０が散乱しない非散乱状態との切り替えが独立に制御される複数の副照明領域Ｉを有する。複数の副照明領域Ｉは、照明光の伝播方向（Ｙ方向）に沿って第一の端面３ａに近い側から遠い側に並べて配置されている。副照明領域Ｉｔは、第一の端面３ａに近い側からｔ番目（ｔは１以上の整数）に配置された副照明領域Ｉである。図２の例では、副照明領域Ｉの数はｓ個（ｓは２以上の整数）である。複数の副照明領域Ｉによって照明領域４Ａが形成されている。照明領域４Ａは、表示領域２Ａと略同じかそれよりも大きく形成され、表示領域２Ａと対向配置されている。
【００２５】
図４に示すように、副照明領域Ｉ（Ｉｔ）には、液晶層３５（図３参照）に電圧を印加する複数の第一の電極３３（３３ｔ，１〜３３ｔ，ｒｋ）が並べて配置されている。図４の例では、Ｙ方向に並ぶｒ×ｋ本（ｒは１以上の整数。ｋは２以上の整数）の第一の電極３３と、このｒ×ｋ本の第一の電極３３と対向するｒ×ｋ本の第二の電極３４（図３参照）と、により液晶層３５の配向が制御される帯状の領域が、一つの副照明領域Ｉである。
【００２６】
複数の第一の電極３３の端部には、複数の第一の電極３３と交差する方向に延びる複数の配線ＷＲ（ＷＲｔ，１〜ＷＲｔ，ｋ）が設けられている。図４の例では、配線ＷＲの数はｋ本である。一つの副照明領域Ｉに設けられるｒ×ｋ本の第一の電極３３は、ｒ本おきに同じ配線ＷＲと電気的に接続されている。複数の第一の電極３３は、一本おきまたは複数本おきに配置された第一の電極３３どうしが短絡されることにより、複数（ｋ個）のグループに分けられる。
【００２７】
それぞれのグループに属するｒ本の第一の電極３３は同じ配線ＷＲによって同時に駆動される。互いに隣接するｒ本の第一の電極３３は、互いに異なる配線ＷＲと電気的に接続され、それぞれ独立に駆動を制御される。複数の配線ＷＲの各々の端部には、端子ＴＥ（ＴＥｔ，１〜ＴＥｔ，ｋ）が設けられている。端子ＴＥの数は、配線ＷＲの数と同じｋ個である。
【００２８】
副照明領域Ｉは、複数（ｋ個）のグループにそれぞれ対応して、散乱状態と非散乱状態との切り替えが独立に制御される複数（ｋ個）の分割副照明領域ＤＩ（ＤＩｔ，１〜ＤＩｔ，ｋ）を有する。同一のグループに属するｒ本の第一の電極３３と、このｒ本の第一の電極３３と対向するｒ本の第二の電極３４と、により液晶層３５の配向が制御される領域が、一つの分割副照明領域ＤＩである。分割副照明領域ＤＩと端子ＴＥとは一対一に対応して設けられている。
【００２９】
図２に示した副照明領域切り替え部４６は、ｋ個の端子ＴＥの中から選択された一つまたは複数の端子ＴＥに電圧を供給する。これにより、選択された一つまたは複数の端子ＴＥに対応する一つまたは複数の分割副照明領域ＤＩが散乱状態となる。散乱状態となる分割副照明領域ＤＩの数によって、照明光が放射される部分の面積（発光面積）が制御される。
【００３０】
複数の副照明領域Ｉには、それぞれｋ個の端子ＴＥが設けられている。図２に示したバックライト制御部４４は、ｓ×ｋ個の端子ＴＥを個別に選択してｓ×ｋ個の分割副照明領域ＤＩの散乱状態と非散乱状態とを独立に制御する。バックライト制御部４４は、複数の副照明領域Ｉの中から一つまたは複数の副照明領域Ｉを任意に選択するとともに、副照明領域Ｉごとに複数の分割副照明領域ＤＩの中から一つまたは複数の分割副照明領域ＤＩを選択し、選択した分割副照明領域ＤＩの数に応じて、液晶層３５（図３参照）に電圧を印加する時間を異ならせる。例えば、選択された分割副照明領域ＤＩの数が少ないほど、液晶層３５（図３参照）に電圧を印加する時間は長い。
【００３１】
図４では、一つの副照明領域Ｉｔのみを示したが、照明領域４Ａに設けられる他の副照明領域Ｉの構成も同じである。本実施形態では、分割副照明領域ＤＩの数は、全ての副照明領域Ｉで等しい。第一の電極３３の数は、全ての分割副照明領域ＤＩで等しい。照明領域４Ａに設けられる第一の電極３３の幅および長さは全て等しい。しかし、照明領域４Ａの構成はこれに限られない。例えば、一つの副照明領域Ｉに設けられる分割副照明領域ＤＩの数は、副照明領域Ｉごとに異なっていてもよい。一つの副照明領域Ｉまたは分割副照明領域ＤＩに設けられる第一の電極３３の数、幅または長さは、副照明領域Ｉごとまたは分割副照明領域ＤＩごとに異なっていてもよい。同一の分割副照明領域ＤＩに設けられる第一の電極３３の幅または長さは、第一の電極３３の位置に応じて異なっていてもよい。
【００３２】
図３に示すように、照明光Ｌ０は、表示パネル２と対向する高分子分散型液晶パネル４の主面（光学シート３７の外面）から放射される。表示パネル２と対向する高分子分散型液晶パネル４の主面が、バックライト３の光放射面３ｂである。表示パネル２は、高分子分散型液晶パネル４の内部を伝播して高分子分散型液晶パネル４で散乱された照明光Ｌ０を変調する。
【００３３】
表示パネル２およびバックライト３の駆動は、図２に示した画像信号制御部４０、階調制御部４１、ゲート線駆動部４２、データ線駆動部４３、バックライト制御部４４、光源駆動部４５および副照明領域切り替え部４６によって制御される。
【００３４】
画像信号制御部４０は、外部から入力された画像信号ＶＳに基づいて画像制御信号ＶＣＳとバックライト制御信号ＬＣＳとを生成する。画像信号ＶＳは、各副画素ＰＸの階調値に関する階調情報を含む。画像信号ＶＳが有する階調情報に関わる階調値を入力階調値という。
【００３５】
バックライト制御信号ＬＣＳは、各副照明領域Ｉから放射される照明光Ｌ０の光量を指示し、所定のタイミングで各副照明領域Ｉから照明光Ｌ０を放射させる信号である。照明光Ｌ０の光量は、散乱状態の副照明領域Ｉに対応する表示パネル２の表示部分の画像の明るさ（例えば、表示部分に含まれる複数の副画素ＰＸの平均的な入力階調値）に応じて設定される。例えば、暗い画像が表示される部分では、副照明領域Ｉから放射される照明光Ｌ０の光量は小さく設定される。明るい画像が表示される部分では、副照明領域Ｉから放射される照明光Ｌ０の光量は大きく設定される。これにより、表示パネル２の表示領域２Ａ全体に常に最大光量の照明光Ｌ０が照射される場合に比べて、消費電力が低減され、コントラストが向上する。
【００３６】
画像制御信号ＶＣＳは、表示パネル２の各副画素ＰＸにどのような階調値を与えるかを定める信号である。画像制御信号ＶＣＳは、各副画素ＰＸの階調値に関する階調情報を含む。画像制御信号ＶＣＳが有する階調情報に関わる階調値を出力階調値とする。画像信号制御部４０は、入力階調値にガンマ補正および伸張処理などの補正処理を加えることによって出力階調値を設定する。
【００３７】
階調制御部４１は画像制御信号ＶＣＳに基づいて水平駆動信号ＨＤＳと垂直駆動信号ＶＤＳとを生成する。ゲート線駆動部４２は水平駆動信号ＨＤＳに基づいて１垂直走査期間内に表示パネル２の複数のゲート線２１を選択する。選択の順番は任意である。例えば、複数のゲート線２１は、Ｓ１，Ｓ２，Ｓ３，…，Ｓｍの順に順次選択される。データ線駆動部４３は垂直駆動信号ＶＤＳに基づいて１水平走査期間内に表示パネル２の複数のデータ線２２に各副画素ＰＸの出力階調値に応じた階調信号を供給する。これにより、表示パネル２は、高分子分散型液晶パネル４の内部を伝播して高分子分散型液晶パネル４で散乱された照明光Ｌ０を画像制御信号ＶＣＳに基づいて変調し、１フレーム分の画像を表示する。
【００３８】
バックライト制御部４４はバックライト制御信号ＬＣＳに基づいて光源駆動信号ＬＤＳと副照明領域切り替え信号ＳＷＳとを生成する。光源駆動信号ＬＤＳは、各光源５０が放射すべき光の光量及び放射タイミングを示す信号である。副照明領域切り替え信号ＳＷＳは、各副照明領域Ｉを散乱状態とするタイミング、ならびに、各副照明領域Ｉにおいて選択すべき分割副照明領域ＤＩを示す信号である。
【００３９】
副照明領域切り替え部４６は副照明領域切り替え信号ＳＷＳに基づいて１垂直走査期間内に高分子分散型液晶パネル４の中から一つまたは複数の副照明領域Ｉを同時または順次に選択する。副照明領域切り替え部４６は、選択された一つまたは複数の副照明領域Ｉの各々において、複数の分割副照明領域ＤＩの中から一つまたは複数の分割副照明領域ＤＩを同時に選択し、散乱状態とする。光源駆動部４５は光源駆動信号ＬＤＳに基づいて１水平走査期間内に各光源５０から指定された光量で光を放射させる。これにより、選択された一つまたは複数の副照明領域Ｉから、光源駆動部４５によって制御された光量の照明光Ｌ０が表示パネル２に向けて放射される。
【００４０】
例えば、画像の書き込みに合わせて垂直方向に照明光Ｌ０を走査するスキャン駆動を行う場合には、副照明領域切り替え部４６は副照明領域切り替え信号ＳＷＳに基づいて１垂直走査期間内に高分子分散型液晶パネル４の複数の副照明領域Ｉを上段側の副照明領域からＩ１，Ｉ２，Ｉ３，Ｉ４，…，Ｉｓの順に順次選択する。副照明領域切り替え部４６は、選択された各々の副照明領域Ｉにおいて、複数の分割副照明領域ＤＩの中から一つまたは複数の分割副照明領域ＤＩを同時に選択し、散乱状態とする。光源駆動部４５は光源駆動信号ＬＤＳに基づいて１水平走査期間内に各光源５０から指定された光量で光を放射させる。これにより、複数の副照明領域Ｉから、光源駆動部４５によって制御された光量の照明光Ｌ０が表示パネル２に向けて順次放射される。
【００４１】
光源装置５から放射された照明光Ｌ０は、高分子分散型液晶パネル４の内部をＹ方向に伝播し、散乱状態の副照明領域Ｉから放射される。副照明領域Ｉから放射された照明光Ｌ０は、表示パネル２で変調され、副照明領域Ｉに対応する大きさの画像として表示される。散乱状態の副照明領域Ｉの位置が順次変化することで、一画面分の画像が表示される。
【００４２】
全照明領域４Ａを一括で点灯するスタティック駆動を行う場合には、副照明領域切り替え部４６は、副照明領域切り替え信号ＳＷＳに基づいて１垂直走査期間内に高分子分散型液晶パネル４の全ての副照明領域Ｉを同時に選択する。副照明領域切り替え部４６は、選択された各々の副照明領域Ｉにおいて、複数の分割副照明領域ＤＩの中から一つまたは複数の分割副照明領域ＤＩを同時に選択し、散乱状態とする。光源駆動部４５は光源駆動信号ＬＤＳに基づいて１水平走査期間内に各光源５０から指定された光量で光を放射させる。これにより、複数の副照明領域Ｉから、光源駆動部４５によって制御された光量の照明光Ｌ０が表示パネル２に向けて放射される。
【００４３】
光源装置５から放射された照明光Ｌ０は、高分子分散型液晶パネル４の内部をＹ方向に伝播し、全ての副照明領域Ｉから同時に放射される。各副照明領域Ｉから放射された照明光Ｌ０は、表示パネル２で変調され、副照明領域Ｉに対応する大きさの画像として表示される。これにより、一画面分の画像が表示される。
【００４４】
図５ないし図７は、スタティック駆動を説明する図である。スタティック駆動は、照明領域４Ａ（図２参照）内に設けられた全ての副照明領域Ｉを同時に散乱状態とし、全照明領域４Ａを一括で点灯する駆動方式である。図５ないし図７では、例えば、照明領域に設けられる副照明領域の数を１０個とし、入光部である第一の端面３ａ（図３参照）に近い副照明領域から順に「１ｃｈ」、「２ｃｈ」、「３ｃｈ」、…「１０ｃｈ」と番号を付している。本例は、図２においてｓを１０とした場合に相当し、「１ｃｈ」、「２ｃｈ」、「３ｃｈ」、…「１０ｃｈ」の副照明領域は、それぞれ副照明領域Ｉ１、Ｉ２、Ｉ３、…Ｉ１０に相当する。
【００４５】
図５および図６は、副照明領域Ｉが複数の分割副照明領域ＤＩに分割されない比較例のスタティック駆動を示す図である。図７および図８は、副照明領域Ｉが複数の分割副照明領域ＤＩに分割された本実施形態のスタティック駆動を示す図である。図５および図７において、縦軸は副照明領域Ｉの番号ＣＨＮを示し、横軸は単位期間Ｔ０（例えば、１フレーム期間）における時間ｔを示す。時間軸方向に延びる横棒の長さは、液晶層３５に電圧を印加する時間を示す。図６および図８において、横軸は副照明領域Ｉの番号ＣＨＮを示し、縦軸は、液晶層３５が散乱状態となる部分の面積（発光面積Ｓ）を示す。
【００４６】
図６に示すように、比較例では、副照明領域Ｉが複数の分割副照明領域ＤＩに分割されない。そのため、発光面積Ｓは全ての副照明領域Ｉで等しい。照明光は１ｃｈの副照明領域Ｉから１０ｃｈの副照明領域Ｉに向けて伝播する。そのため、副照明領域Ｉに入射する照明光の光量は入光部に近い副照明領域Ｉほど多く、入光部から遠い副照明領域Ｉほど少ない。入光部に近い副照明領域Ｉでは、液晶層３５（図３参照）に電圧を印加する時間（散乱状態となる時間）が短くても十分な光量の照明光が表示パネル２に向けて放射される。入光部から遠い副照明領域Ｉでは、液晶層３５に電圧を印加する時間を長くしなければ十分な光量の照明光が表示パネル２に向けて放射されない。よって、照明領域４Ａ全体で均一な照明を行うためには、図５に示すように、入光部と副照明領域Ｉとの距離が大きくなるほど、液晶層３５に電圧を印加する時間を長くしなければならない。しかし、この方法では、液晶層３５に電圧を印加する時間の違いによって、複数の副照明領域Ｉの間で焼き付きむらが発生する可能性がある。
【００４７】
図８に示すように、本実施形態では、副照明領域Ｉが複数の分割副照明領域ＤＩに分割される。そのため、発光面積Ｓは、選択された分割副照明領域ＤＩの数に応じて異なる。本実施形態では、入光部に近い副照明領域Ｉほど、選択される分割副照明領域ＤＩの数が少なく、入光部から遠い副照明領域Ｉほど、選択される分割副照明領域ＤＩの数が多い。そのため、入光部に近い副照明領域Ｉほど発光面積Ｓが小さく、入光部から遠い副照明領域Ｉほど発光面積Ｓが大きい。図７に示すように、本実施形態では、照明領域４Ａ全体で均一な照明が行われるように、入光部に近い副照明領域Ｉでは、液晶層３５に電圧を印加する時間が比較例よりも長く、入光部から遠い副照明領域Ｉでは、液晶層３５に電圧を印加する時間が比較例よりも短い。そのため、液晶層３５に電圧を印加する時間は、全ての副照明領域Ｉにおいて均一化される。
【００４８】
図９ないし図１２は、スキャン駆動を説明する図である。スキャン駆動は、照明領域４Ａ内に設けられた複数の副照明領域Ｉを順次散乱状態とし、散乱状態となる時間（副照明領域Ｉから表示パネル２に向けて放射される照明光の光量）を副照明領域Ｉごとに制御しながら複数の副照明領域Ｉを順次点灯させる駆動方式である。
【００４９】
図９および図１０は、副照明領域Ｉが複数の分割副照明領域ＤＩに分割されない比較例のスキャン駆動を説明する図である。図１１および図１２は、副照明領域Ｉが複数の分割副照明領域ＤＩに分割された本実施形態のスキャン駆動を説明する図である。図９ないし図１２は、図５ないし図８にそれぞれ対応する。図９および図１１の下段側の図は、液晶層３５の散乱強度を示す。
【００５０】
図９に示すように、スキャン駆動では、単位期間Ｔ０（例えば、１フレーム期間）を副照明領域Ｉの数で分割した分割期間Ｔｄごとに、散乱状態となる副照明領域Ｉが切り替わる。液晶層３５に電圧を印加する時間は、分割期間Ｔｄの範囲内で設定される。例えば、単位期間Ｔ０を１６．７ｍｓ（６０Ｈｚで画像の書き換えを行った場合の１フレーム期間）とし、副照明領域Ｉの数を１０個とすると、分割期間Ｔｄは１．６７ｍｓ（単位期間Ｔ０の１０％）である。副照明領域Ｉから放射される照明光の光量は、副照明領域Ｉに対応する表示パネル２の表示部分の画像の明るさに応じて設定される。よって、画像の明るさに応じて、液晶層３５に電圧を印加する時間が設定される。
【００５１】
例えば、図９では、６ｃｈの副照明領域Ｉの照明光の光量が小さく設定されている。図１０に示すように、比較例では、発光面積Ｓが全ての副照明領域Ｉで等しい。そのため、照明光の光量を小さくする場合には、液晶層３５に電圧を印加する時間を短くする必要がある。しかし、もともと短い分割期間Ｔｄ内でさらに電圧の印加時間を短くすると、液晶層３５の応答が間に合わなくなり、目的とする光量が得られなくなる可能性がある。
【００５２】
例えば、図９の下段側の図に示すように、分割期間Ｔｄ（単位期間Ｔ０の１０％）をフルに使って照明が行われる場合には、液晶層３５が十分に配向した状態で照明が行われる。しかし、分割期間Ｔｄ内の非常に短い期間Ｔ１（例えば、単位期間Ｔ０の３％）しか照明が行われない場合には、液晶層３５の配向が不十分な状態で照明が行われる。そのため、液晶層３５に電圧を印加する時間によって照明光の光量を見積もると、計算上は、分割期間Ｔｄ（単位期間Ｔ０の１０％）をフルに使って液晶層３５に電圧を印加する場合に比べて３０％の光量が得られるはずである。しかしながら、実際には、液晶層３５の散乱が不十分であるため、目的とする３０％の光量よりも小さい光量しか得られない。特に、高分子分散型液晶パネルでは、液晶が周囲の高分子によって強くアンカリングされるため、液晶層３５の応答速度が遅い。よって、計算によって見積もられる光量とのずれが大きくなりやすい。
【００５３】
図１２に示すように、本実施形態では、発光面積Ｓは、選択された分割副照明領域ＤＩの数に応じて異なる。選択される分割副照明領域ＤＩの数は、副照明領域Ｉに対応する表示パネル２の表示部分の画像の明るさに応じて設定される。例えば、６ｃｈの副照明領域Ｉでは、選択される分割副照明領域ＤＩの数が少なく、発光面積Ｓが小さい。図１１に示すように、６ｃｈの副照明領域Ｉでは、６ｃｈの副照明領域Ｉにおいて目的とする照明光の光量が得られるように、液晶層３５に電圧を印加する時間Ｔ２は比較例よりも長くする。そのため、液晶層３５が十分に配向した状態で照明が行われる。よって、目的とする光量が得られやすい。
【００５４】
図１３は、液晶層３５に電圧を印加する時間ｔと、液晶層３５で散乱されて高分子分散型液晶パネルの外部に放射される照明光の光量ＴＭと、の関係を示す図である。図１３の右側の凡例に示した数値は、単位期間Ｔ０（１６．７ｍｓ）を基準とした電圧の印加時間の割合を示している。
【００５５】
図１３に示すように、光量ＴＭは、液晶層３５に電圧を印加する時間がある時間Ｔｓを越えると飽和する。時間Ｔｓは、液晶層３５に電圧を印加してから液晶層３５の配向変化が完了するまでの時間である。図１３の例では、時間Ｔｓは単位期間Ｔ０の３％に相当する時間である。図２に示したバックライト制御部４４は、表示パネル２に表示される画像の明るさに基づいて副照明領域Ｉから放射されるべき照明光の光量Ｍ１を設定するとともに、副照明領域Ｉ内の全ての分割副照明領域ＤＩを散乱状態として照明を行うときに光量Ｍ１を得るために必要となる液晶層３５の電圧印加時間を目標時間として演算する。この目標時間が、液晶層３５に電圧を印加してから液晶層３５の配向変化が完了するまでの時間Ｔｓ以下である場合には、副照明領域Ｉ内に設けられた分割副照明領域ＤＩの数ｋよりも少ない数の分割副照明領域ＤＩが散乱状態となるように高分子分散型液晶パネル４を制御する。
【００５６】
以上のように、本実施形態の表示装置１では、副照明領域Ｉから放射される照明光Ｌ０の光量が、選択される分割副照明領域ＤＩの数によって制御される。スタティック駆動が行われる場合には、選択される分割副照明領域ＤＩの数が、入光部に近い副照明領域Ｉと入光部から遠い副照明領域Ｉとの間で異なる。そのため、液晶層３５に電圧を印加する時間が、入光部に近い副照明領域Ｉと入光部から遠い副照明領域Ｉとの間で均一化される。よって、焼き付きむらを抑制しつつ副照明領域Ｉから放射される照明光Ｌ０の光量を精度よく制御することができる。スキャン駆動が行われる場合には、放射される照明光Ｌ０の光量に応じて、選択される分割副照明領域ＤＩの数と、液晶層３５に電圧を印加する時間と、が適切に制御される。そのため、液晶層３５が十分に配向した状態で照明が行われる。よって、副照明領域Ｉから放射されるべき照明光の光量が小さい場合でも、目的とする照明光の光量が得られやい。
【００５７】
［第二の実施形態］
図１４は、第二の実施形態に係る副照明領域Ｉの構成を説明する図である。本実施形態において第一の実施形態と共通する構成要素については、同じ符号を付し、詳細な説明は省略する。
【００５８】
本実施形態において第一の実施形態と異なる点は、同一の副照明領域Ｉに設けられた複数の第一の電極３３の各々の幅が分割副照明領域ＤＩごとに異なる点である。本実施形態では、同一の分割副照明領域ＤＩに含まれる複数の第一の電極３３の各々の幅は全て等しい。互いに異なる分割副照明領域ＤＩに含まれる第一の電極３３どうしの幅は互いに異なる。複数の第一の電極３３の幅は、３３ｔ，１、３３ｔ，２、３３ｔ，３、…、３３ｔ，ｋの順に大きくなっている。
【００５９】
例えば、スキャン駆動が行われる場合には、図２に示したバックライト制御部４４は、副照明領域Ｉから放射されるべき照明光の光量に応じて、選択される分割副照明領域ＤＩの位置および数を設定する。
【００６０】
バックライト制御部４４は、副照明領域Ｉから放射されるべき照明光の光量が第一の閾値よりも小さい場合には、副照明領域Ｉに設けられた複数の分割副照明領域ＤＩのうち、第一の電極３３の幅が最も小さい第一の電極３３が設けられた分割副照明領域ＤＩ１のみが散乱状態となるように高分子分散型液晶パネルを制御する。この場合、発光面積が最も小さくなるので、液晶層３５に電圧を印加する時間は長くする。これにより、液晶層３５を十分に配向させた状態で照明を行うことができる。よって、副照明領域Ｉから放射されるべき照明光の光量が非常に小さい場合でも、目的とする照明光の光量が得られやすい。
【００６１】
バックライト制御部４４は、副照明領域Ｉから放射されるべき照明光の光量が第二の閾値よりも大きい場合には、副照明領域Ｉに設けられた複数の分割副照明領域ＤＩのうちの二以上の分割副照明領域ＤＩが散乱状態となるように高分子分散型液晶パネルを制御する。バックライト制御部４４は、副照明領域Ｉから放射されるべき照明光の光量が第三の閾値よりも大きい場合には、副照明領域Ｉに設けられた全ての分割副照明領域ＤＩが散乱状態となるように高分子分散型液晶パネル４を制御する。これにより、副照明領域Ｉから放射される照明光の光量を細かく調節することができる。
【００６２】
［第三の実施形態］
図１５は、第三の実施形態に係る副照明領域Ｉの構成を説明する図である。本実施形態において第二の実施形態と共通する構成要素については、同じ符号を付し、詳細な説明は省略する。
【００６３】
本実施形態において第一の実施形態および第二の実施形態と異なる点は、第一の端面３ａ（図３参照）と副照明領域Ｉとの距離に応じて、副照明領域Ｉに含まれる第一の電極３３の幅が異なる点である。本実施形態では、第一の端面３ａに近い副照明領域Ｉに含まれる第一の電極３３ほど幅が小さくなる。
【００６４】
例えば、第一の端面３ａに最も近い副照明領域Ｉ１に設けられた複数の第一の電極３３の中で最も幅の小さい第一の電極３３１，１の幅は、第一の端面３ａから最も遠い副照明領域Ｉｓに設けられた複数の第一の電極３３の中で最も幅の小さい第一の電極３３ｓ，１の幅よりも小さい。あるいは、例えば、第一の端面３ａに最も近い副照明領域Ｉ１に設けられた複数の第一の電極３３の中で最も幅の大きい第一の電極３３１，ｋの幅は、第一の端面３ａから最も遠い副照明領域Ｉｓに設けられた複数の第一の電極３３の中で最も幅の大きい第一の電極３３ｓ，ｋの幅よりも小さい。また、第一の端面３ａに最も近い副照明領域Ｉ１に設けられた複数の第一の電極３３のトータルの幅（各々の第一の電極３３の幅の合計値）は、第一の端面３ａから最も遠い副照明領域Ｉｓに設けられた複数の第一の電極３３のトータルの幅よりも小さい。
【００６５】
この構成によれば、第一の端面３ａ（図３参照）からの距離に応じて発光面積を異ならせることができる。そのため、スタティック駆動が行われる場合には、副照明領域Ｉと第一の端面３ａとの距離が大きくなるほど副照明領域Ｉの散乱の大きさが大きくなり、照明領域４Ａ内で照明光の光量が均一化される。
【００６６】
また、複数の第一の電極３３のトータルの幅は、第一の端面３ａに近い副照明領域Ｉほど小さくなる。そのため、第一の端面３ａに近い位置で、第一の電極３３に吸収される照明光の光量が小さくなり、第一の端面３ａから遠い副照明領域Ｉまで多くの照明光が届くようになる。
【００６７】
例えば、図１６は、一つの副照明領域Ｉの面積と、一つの副照明領域Ｉに含まれる複数の第一の電極３３のトータルの面積と、の比を電極面積とし、入光部からの距離と照明領域の輝度（照明光の光量）との関係を電極面積との関係でプロットした図である。電極面積は全ての副照明領域で等しい。
【００６８】
図１６に示すように、電極面積によって照明領域の輝度は大きく変化する。電極面積が大きいほど、入光部に近い位置と入光部から遠い位置での照明領域の輝度のばらつきは大きくなる。よって、電極面積を小さくすることが好ましい。しかし、全ての副照明領域で等しく電極面積を小さくすると、スタティック駆動を行う場合に、入光部から遠い副照明領域から放射される照明光の光量が不十分になる可能性がある。本実施形態のように、入光部付近の副照明領域の第一の電極の幅を積極的に小さくすれば、このような問題は抑制される。
【００６９】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７０】
本発明は、以下の態様に係る表示装置に広く適用可能である。
【００７１】
（１）高分子分散型液晶パネルと、
前記高分子分散型液晶パネルの端面に照明光を入射させる光源装置と、
前記高分子分散型液晶パネルの内部を伝播して前記高分子分散型液晶パネルで散乱された前記照明光を変調する表示パネルと、
を有し、
前記高分子分散型液晶パネルは、液晶層に電圧を印加することにより、前記照明光が散乱する散乱状態と前記照明光が散乱しない非散乱状態との切り替えが独立に制御される複数の副照明領域を有し、
前記副照明領域には、前記液晶層に電圧を印加する複数の第一の電極が並べて配置され、
前記複数の第一の電極は、一本おきまたは複数本おきに配置された前記第一の電極どうしが短絡されることにより、複数のグループに分けられ、
前記副照明領域は、前記複数のグループにそれぞれ対応して、散乱状態と非散乱状態との切り替えが独立に制御される複数の分割副照明領域を有する
表示装置。
【００７２】
（２）前記副照明領域ごとに前記複数の分割副照明領域の中から一つまたは複数の前記分割副照明領域を選択し、選択した前記分割副照明領域の数に応じて前記液晶層に電圧を印加する時間を異ならせるバックライト制御部を有する
（１）に記載の表示装置。
【００７３】
（３）選択された前記分割副照明領域の数が少ないほど前記液晶層に電圧を印加する時間は長い
（２）に記載の表示装置。
【００７４】
（４）前記バックライト制御部は、前記副照明領域から放射されるべき照明光の光量を設定するとともに、前記副照明領域内の全ての分割副照明領域を散乱状態として照明を行うときに前記光量を得るために必要となる液晶層の電圧印加時間を目標時間として演算し、この目標時間が、前記液晶層に電圧を印加してから前記液晶層の配向変化が完了するまでの時間以下である場合には、前記副照明領域内に設けられた前記分割副照明領域の数よりも少ない数の前記分割副照明領域が散乱状態となるように前記高分子分散型液晶パネルを制御する
（２）または（３）に記載の表示装置。
【００７５】
（５）同一の前記分割副照明領域に含まれる複数の前記第一の電極の各々の幅は全て等しく、
互いに異なる前記分割副照明領域に含まれる前記第一の電極どうしの幅は互いに異なる
（２）ないし（４）のいずれか１つに記載の表示装置。
【００７６】
（６）前記バックライト制御部は、前記副照明領域から放射されるべき照明光の光量が第一の閾値よりも小さい場合には、前記副照明領域に設けられた前記複数の分割副照明領域のうち、前記第一の電極の幅が最も小さい前記第一の電極が設けられた前記分割副照明領域のみが散乱状態となるように前記高分子分散型液晶パネルを制御する
（５）に記載の表示装置。
【００７７】
（７）前記バックライト制御部は、前記副照明領域から放射されるべき照明光の光量が第二の閾値よりも大きい場合には、前記副照明領域に設けられた前記複数の分割副照明領域のうちの二以上の前記分割副照明領域が散乱状態となるように前記高分子分散型液晶パネルを制御する
（５）または（６）に記載の表示装置。
【００７８】
（８）前記バックライト制御部は、前記副照明領域から放射されるべき照明光の光量が第三の閾値よりも大きい場合には、前記副照明領域に設けられた全ての前記分割副照明領域が散乱状態となるように前記高分子分散型液晶パネルを制御する
（５）ないし（７）のいずれか１つに記載の表示装置。
【００７９】
（９）前記複数の副照明領域は、前記端面に近い側から遠い側に並べて配置され、
前記端面に最も近い前記副照明領域に設けられた複数の前記第一の電極の中で最も幅の小さい前記第一の電極の幅は、前記端面から最も遠い前記副照明領域に設けられた複数の前記第一の電極の中で最も幅の小さい前記第一の電極の幅よりも小さい
（１）ないし（４）のいずれか１つに記載の表示装置。
【００８０】
（１０）前記端面に最も近い前記副照明領域に設けられた複数の前記第一の電極のトータルの幅は、前記端面から最も遠い前記副照明領域に設けられた複数の前記第一の電極のトータルの幅よりも小さい
（９）に記載の表示装置。
【００８１】
（１１）同一の前記分割副照明領域に含まれる複数の前記第一の電極の各々の幅は全て等しく、
互いに異なる前記分割副照明領域に含まれる前記第一の電極どうしの幅は互いに異なる
（１）に記載の表示装置。
【符号の説明】
【００８２】
１  表示装置
２  表示パネル
３ａ  第一の端面（端面）
４  高分子分散型液晶パネル
５  光源装置
３３  第一の電極
３５  液晶層
４４  バックライト制御部
ＤＩ  分割副照明領域
Ｉ  副照明領域
Ｌ０  照明光
【図１】
2017032782.tif 000003
【図２】
2017032782.tif 000004
【図３】
2017032782.tif 000005
【図４】
2017032782.tif 000006
【図５】
2017032782.tif 000007
【図６】
2017032782.tif 000008
【図７】
2017032782.tif 000009
【図８】
2017032782.tif 000010
【図９】
2017032782.tif 000011
【図１０】
2017032782.tif 000012
【図１１】
2017032782.tif 000013
【図１２】
2017032782.tif 000014
【図１３】
2017032782.tif 000015
【図１４】
2017032782.tif 000016
【図１５】
2017032782.tif 000017
【図１６】
2017032782.tif 000018